(57)【要約】【課題】断熱材を介して一方の部分と他方の部分とが接続された枠状部材に対して、その断熱性を確保した上で押縁部材の着脱操作を容易に、かつ確実に行うこと。【解決手段】第１係合受部１１ｂ及び第２係合受部１１ｃを有した枠１１と、係合板部５０Ａに先端係合縁５０Ａｂ１及び基端係合縁５０Ａａ２を有し、先端係合縁５０Ａｂ１を枠１１の第１係合受部１１ｂに当接させた状態で回転操作して基端係合縁５０Ａａ２を第２係合受部１１ｃに当接させることにより、面材支持板部５０Ｂを介して枠１１との間に面材２０を保持する押縁部材５０とを備えた建具であって、第１係合受部１１ｂは、断熱材４０が配設される収容部１１ｄの開口縁部との間に枠１１の見込み面に沿って延在する仕切面１１ｅを確保した位置に設けるとともに、押縁部材５０の先端係合縁５０Ａｂ１が当接される突出端部を第２係合受部１１ｃから離隔する方向に向けて屈曲させた。【選択図】図１
2014020155.tif 000002
【特許請求の範囲】
【請求項１】
断熱材を介して互いに接続された一方の部分及び他方の部分を有し、前記一方の部分に第１係合受部及び第２係合受部が設けられた枠状部材と、
係合板部及び面材支持板部を有するとともに、前記係合板部に第１係合部及び第２係合部を有し、前記第１係合部を前記枠状部材の第１係合受部に当接させた状態で回転操作して前記第２係合部を前記第２係合受部に当接させることにより、前記面材支持板部を介して前記枠状部材との間に面材を保持する押縁部材と
を備えた建具であって、
前記第１係合受部は、前記断熱材が配設される収容部の開口縁部との間に前記枠状部材の見込み面に沿って延在する仕切面を確保した位置に設けるとともに、前記押縁部材の第１係合部が当接される突出端部を前記第２係合受部から離隔する方向に向けて屈曲させたことを特徴とする建具。
【請求項２】
前記第２係合受部において前記押縁部材の第２係合部が当接される突出端部は、前記枠状部材の見込み面からの距離が、前記第１係合受部において前記押縁部材の第１係合部が当接される突出端部と略同じとなるように構成したことを特徴とする請求項１に記載の建具。
【請求項３】
前記押縁部材は、前記係合板部を介して前記枠状部材に取り付けた状態において、前記面材支持板部が前記枠状部材の見込み面から離隔する方向に延在した後、面材に近接する方向に向けて屈曲し、その先端部が前記枠状部材の断熱材を超えた位置において前記面材を支持する長さを有したものであり、見込み面が上方を向いた枠状部材に対して取り付けた場合、先端部を介して前記係合板部が前記枠状部材の見込み面に当接し、かつ重心からの垂線が前記枠状部材の見込み面との当接位置よりも前記係合板部の基端部側を通過するように重心位置を設定したことを特徴とする請求項１に記載の建具。
【発明の詳細な説明】
【技術分野】
【０００１】
本発明は、建具に関するもので、詳しくは、押縁部材を介して枠状部材に面材を保持するようにした建具に関するものである。
【背景技術】
【０００２】
開口枠や框等の枠状部材に窓ガラス等の面材を保持させる場合には、押縁部材を適用するのが一般的である。押縁部材は、枠状部材の見込み面に沿って配置される係合板部と、係合板部の基端部から略直角方向に屈曲し、枠状部材の見込み面から見付け方向に沿って枠状部材の内方に突出される面材支持板部とを有し、係合板部の第１係合部及び第２係合部を枠状部材の第１係合受部及び第２係合受部に当接させることによって枠状部材に着脱可能に取り付けられるものである。
【０００３】
押縁部材の第１係合部は、長手方向に沿った係合板部の先端部であり、第２係合部は、係合板部の基端側に位置する部位から第１係合部とは離反する方向に向けて突出した部分である。枠状部材の第１係合受部及び第２係合受部は、それぞれ枠状部材の見込み面から突出した後、互いに近接する方向に向けて屈曲したもので、枠状部材の見込み面との間にそれぞれ長手方向に沿った収容空間を構成している。
【０００４】
押縁部材を枠状部材に取り付ける場合には、まず、押縁部材の第１係合部を枠状部材の第１係合受部に挿入して当接させる。この状態から第２係合部が枠状部材の第２係合受部に近接するように押縁部材を回転操作し、第２係合部を第２係合受部に当接させれば、押縁部材の係合板部が第１係合受部と第２係合受部との間に支持されることになる。
【０００５】
押縁部材が枠状部材に取り付けられた状態においては、面材支持板部が面材の表面に対向して配置されることになり、面材支持板部に設けたシール材を介して面材が枠状部材との間に保持されることになる（例えば、特許文献１参照）。
【先行技術文献】
【特許文献】
【０００６】
【特許文献１】特開２００１−８２０４０号公報
【発明の概要】
【発明が解決しようとする課題】
【０００７】
昨今の建具の中には、断熱材を介して互いに接続された２つの部分から成る枠状部材を適用したものが提供されている。この種の建具によれば、枠状部材の見込み方向に沿った熱伝達が断熱材によって制限されるため、枠状部材の表面に結露が発生する事態を防止することができる等の利点がある。
【０００８】
このように熱伝達を制限するようにした枠状部材を適用する建具にあっては、押縁部材が熱伝達要素とならないように設けることが好ましいのは言うまでもない。つまり、枠状部材の一方の部分にのみ第１係合受部及び第２係合受部の双方を設け、押縁部材が断熱材を横断しないように配設しなければ、枠状部材の断熱性が損なわれる恐れがある。
【０００９】
しかしながら、枠状部材の一方の部分にのみ第１係合受部及び第２係合受部の双方を設けた場合には、これらの相互間距離を大きく確保することができないため、枠状部材の見込み面と第１係合受部との間に押縁部材の第１係合部を挿入する際の押縁部材の傾斜角度が大きくせざるを得ない。押縁部材の傾斜角度が大きくなると、面材支持板部が面材に近接する方向へ移動する量も大きくなるため、これら面材支持板部及び面材の相互干渉が招来され、枠状部材に対する押縁部材の着脱操作が困難になる恐れがある。
【００１０】
しかも、枠状部材の収容部に配設する断熱材として注入タイプのものを適用することを考慮した場合には、収容部の開口縁部と第１係合受部との間に、枠状部材の見込み面に沿って延在する仕切面を確保する必要がある。これは、収容部の開口縁部に対して連続した平面を有するように第１係合受部を設けた場合、収容部に注入した断熱材が表面張力の作用により第１係合受部を伝って外部に漏出する事態を招来することになるため、収容部の開口縁部と第１係合部との間に仕切面を確保して断熱材の移動を遮断しようとするものである。しかしながら、収容部の開口縁部と第１係合受部との間に仕切面を確保した場合には、第１係合受部及び第２係合受部の相互間距離がさらに短くなってしまうことになり、枠状部材の見込み面と第１係合受部との間に押縁部材の第１係合部を挿入する際の押縁部材の傾斜角度が一層増大する事態を招来することに繋がる。
【００１１】
本発明は、上記実情に鑑みて、断熱材を介して一方の部分と他方の部分とが接続された枠状部材に対して、その断熱性を確保した上で押縁部材の着脱操作を容易に、かつ確実に行うことのできる建具を提供することを目的とする。
【課題を解決するための手段】
【００１２】
上記目的を達成するため、本発明に係る建具は、断熱材を介して互いに接続された一方の部分及び他方の部分を有し、前記一方の部分に第１係合受部及び第２係合受部が設けられた枠状部材と、係合板部及び面材支持板部を有するとともに、前記係合板部に第１係合部及び第２係合部を有し、前記第１係合部を前記枠状部材の第１係合受部に当接させた状態で回転操作して前記第２係合部を前記第２係合受部に当接させることにより、前記面材支持板部を介して前記枠状部材との間に面材を保持する押縁部材とを備えた建具であって、前記第１係合受部は、前記断熱材が配設される収容部の開口縁部との間に前記枠状部材の見込み面に沿って延在する仕切面を確保した位置に設けるとともに、前記押縁部材の第１係合部が当接される突出端部を前記第２係合受部から離隔する方向に向けて屈曲させたことを特徴とする。
【００１３】
この発明によれば、収容部の開口縁部との間に枠状部材の見込み面に沿って延在する仕切面を確保して第１係合受部を設けているため、注入タイプの断熱材を適用する場合にも収容部の外部に漏出する事態を招来する恐れがない。しかも、押縁部材の第１係合部が当接される第１係合受部の突出端部を第２係合受部から離隔する方向に向けて屈曲させているため、これら第１係合受部及び第２係合受部の相互間距離を確保することが可能となる。
【００１４】
また、本発明は、上述した建具において、前記第２係合受部において前記押縁部材の第２係合部が当接される突出端部は、前記枠状部材の見込み面からの距離が、前記第１係合受部において前記押縁部材の第１係合部が当接される突出端部と略同じとなるように構成したことを特徴とする。
【００１５】
この発明によれば、枠状部材の見込み面と第１係合受部との間に第１係合部を着脱する際に必要となる押縁部材の傾斜角度をさらに抑えることができる。
【００１６】
また、本発明は、上述した建具において、前記押縁部材は、前記係合板部を介して前記枠状部材に取り付けた状態において、前記面材支持板部が前記枠状部材の見込み面から離隔する方向に延在した後、面材に近接する方向に向けて屈曲し、その先端部が前記枠状部材の断熱材を超えた位置において前記面材を支持する長さを有したものであり、見込み面が上方を向いた枠状部材に対して取り付けた場合、先端部を介して前記係合板部が前記枠状部材の見込み面に当接し、かつ重心からの垂線が前記枠状部材の見込み面との当接位置よりも前記係合板部の基端部側を通過するように重心位置を設定したことを特徴とする。
【００１７】
この発明によれば、見込み面が上方に向いた枠状部材に対して取り付けた場合、押縁部材を自立させることができる。
【発明の効果】
【００１８】
本発明によれば、収容部の開口縁部との間に枠状部材の見込み面に沿って延在する仕切面を確保して第１係合受部を設けているため、注入タイプの断熱材を適用する場合にも収容部の外部に漏出する事態を招来する恐れがない。しかも、押縁部材の第１係合部が当接される第１係合受部の突出端部を第２係合受部から離隔する方向に向けて屈曲させているため、これら第１係合受部及び第２係合受部の相互間距離が大きく短縮化される事態を防止することが可能となる。これにより、枠状部材に対して押縁部材を着脱させる際に必要となる傾斜角度を小さく抑えることができ、押縁部材の面材支持板部と面材との干渉を招来する恐れがなくなるため、その操作を容易に行うことが可能となる。
【図面の簡単な説明】
【００１９】
【図１】図１は、本発明の実施の形態である建具の縦断面図である。
【図２】図２は、図１に示した建具の横断面図である。
【図３】図３は、図１に示した建具の要部を拡大した縦断面図である。
【図４】図４は、建具の要部を拡大した縦断面図である。
【発明を実施するための形態】
【００２０】
以下、添付図面を参照しながら本発明に係る建具の好適な実施の形態について詳細に説明する。
【００２１】
図１及び図２は、本発明の実施の形態である建具を示したものである。ここで例示する建具は、開口枠１０にガラスパネル等の面材２０を固定設置した、いわゆる「嵌め殺し窓」と称されるものである。面材２０としては、スペーサ部材２１を介して２枚の矩形状を成すガラス板２２，２３を積層した複層ガラスパネルを適用している。面材２０が設置される開口枠１０は、上枠（枠状部材）１１、下枠（枠状部材）１２、左右一対の縦枠（枠状部材）１３を四周枠組みすることにより、面材２０よりも大きな矩形状に構成したものである。それぞれの枠１１，１２，１３は、アルミニウムもしくはアルミニウム合金の押し出し型材によって一様な横断面形状を有するように構成したものである。図中の符号３０は、下枠１２や縦枠１３の見込み面と面材２０との間に介在させたセッティングブロックである。
【００２２】
それぞれの枠１１，１２，１３には、面材支持ヒレ部１１ａ，１２ａ，１３ａが設けてある。面材支持ヒレ部１１ａ，１２ａ，１３ａは、枠１１，１２，１３の見込み面において室外側に位置する部位から見付け方向に沿って内方に延在した薄板状部分であり、開口枠１０に面材２０を配置した場合に、面材２０の四周縁部を覆うことができる寸法に形成してある。各面材支持ヒレ部１１ａ，１２ａ，１３ａの先端部において面材２０に対向する見付け面には、それぞれアウタガスケット３１が設けてある。
【００２３】
また、それぞれの枠１１，１２，１３の見込み面には、断熱材４０が配設してあるとともに、第１係合受部１１ｂ，１２ｂ，１３ｂ及び第２係合受部１１ｃ，１２ｃ，１３ｃが設けてある。断熱材４０は、枠１１，１２，１３の室外側に位置する一方の金属部分と室内側に位置する他方の金属部分との間の長手方向に沿った収容部１１ｄ，１２ｄ，１３ｄに充填されたもので、室外側の金属部分と室内側の金属部分との間の熱伝達を制限した状態で両者を接続している。本実施の形態では、断熱材４０として注入タイプのものを適用しており、それぞれの枠１１，１２，１３の見込み面からノズル（図示せず）を介して収容部１１ｄ，１２ｄ，１３ｄの内部に充填するようにしている。
【００２４】
第１係合受部１１ｂ，１２ｂ，１３ｂ及び第２係合受部１１ｃ，１２ｃ，１３ｃは、互いの間に押縁部材５０を保持するための部分であり、枠１１，１２，１３の見込み面において断熱材４０よりも室内側に位置する部位の全長からそれぞれ見付け方向に沿って突出し、個々の突出端部が互いに近接する方向に向けて屈曲している。
【００２５】
より具体的に説明すると、第２係合受部１１ｃ，１２ｃ，１３ｃは、枠１１，１２，１３の見込み面においてもっとも室内側となる位置に設けたもので、第２基片１１ｃ１，１２ｃ１，１３ｃ１及び第２係合受片１１ｃ２，１２ｃ２，１３ｃ２を有している。第２基片１１ｃ１，１２ｃ１，１３ｃ１は、見込み面に対してほぼ直角となるように突出した部分である。第２係合受片１１ｃ２，１２ｃ２，１３ｃ２は、第２基片１１ｃ１，１２ｃ１，１３ｃ１の突出端部から室外側に向けてほぼ直角に屈曲したものである。
【００２６】
第１係合受部１１ｂ，１２ｂ，１３ｂは、枠１１，１２，１３の見込み面において収容部１１ｄ，１２ｄ，１３ｄの開口縁部との間に仕切面１１ｅ，１２ｅ，１３ｅを確保した位置に設けてある。仕切面１１ｅ，１２ｅ，１３ｅは、枠１１，１２，１３の見込み面に沿って延在した平面であり、収容部１１ｄ，１２ｄ，１３ｄに注入タイプの断熱材４０を充填した場合に、表面張力の作用による断熱材４０の外部への移動を遮断するように機能する。本実施の形態では、収容部１１ｄ，１２ｄ，１３ｄの開口縁部との間に幅約１ｍｍの仕切面１１ｅ，１２ｅ，１３ｅを確保して第１係合受部１１ｂ，１２ｂ，１３ｂを設けるようにしている。
【００２７】
この第１係合受部１１ｂ，１２ｂ，１３ｂは、第１基片１１ｂ１，１２ｂ１，１３ｂ１、第１傾斜片１１ｂ２，１２ｂ２，１３ｂ２、第１先端片１１ｂ３，１２ｂ３，１３ｂ３及び第１係合受片１１ｂ４，１２ｂ４，１３ｂ４を有して構成してある。第１基片１１ｂ１，１２ｂ１，１３ｂ１は、見込み面に対してほぼ直角に突出した部分である。第１傾斜片１１ｂ２，１２ｂ２，１３ｂ２は、第１基片１１ｂ１，１２ｂ１，１３ｂ１の突出端部から突出するに従って漸次第２係合受部１１ｃ，１２ｃ，１３ｃの第２基片１１ｃ１，１２ｃ１，１３ｃ１から離隔する方向に傾斜したものである。第１先端片１１ｂ３，１２ｂ３，１３ｂ３は、第１傾斜片１１ｂ２，１２ｂ２，１３ｂ２の突出端部から第２基片１１ｃ１，１２ｃ１，１３ｃ１に対してほぼ平行となるように延在したものである。第１係合受片１１ｂ４，１２ｂ４，１３ｂ４は、第１先端片１１ｂ３，１２ｂ３，１３ｂ３の突出端部から室内側に向けてほぼ直角に屈曲した部分である。図３からも明らかなように、第１係合受部１１ｂ，１２ｂ，１３ｂの第１係合受片１１ｂ４，１２ｂ４，１３ｂ４と第２係合受部１１ｃ，１２ｃ，１３ｃの第２係合受片１１ｃ２，１２ｃ２，１３ｃ２とは、枠１１，１２，１３の見込み面からの距離が略同じとなるように構成してある。
【００２８】
これら第１係合受部１１ｂ，１２ｂ，１３ｂ及び第２係合受部１１ｃ，１２ｃ，１３ｃを介して枠１１，１２，１３に保持される押縁部材５０は、枠１１，１２，１３と同様アルミニウムもしくはアルミニウム合金の押し出し型材によって一様な横断面形状を有するように構成したもので、係合板部５０Ａ及び面材支持板部５０Ｂを有している。
【００２９】
係合板部５０Ａは、枠１１，１２，１３の第１係合受部１１ｂ，１２ｂ，１３ｂ及び第２係合受部１１ｃ，１２ｃ，１３ｃの間に保持される部分であり、平板状を成す基片５０Ａａと、基片５０Ａａの先端部から斜め方向に突出した平板状を成す支点片５０Ａｂとを有している。この係合板部５０Ａは、基片５０Ａａの先端縁５０Ａａ１を枠１１，１２，１３の見込み面に当接させるとともに、基片５０Ａａの基端係合縁（第２係合部）５０Ａａ２を第２係合受部１１ｃ，１２ｃ，１３ｃにおける第２係合受片１１ｃ２，１２ｃ２，１３ｃ２の先端部内方面に当接させた場合に、支点片５０Ａｂの先端係合縁（第１係合部）５０Ａｂ１が第１係合受部１１ｂ，１２ｂ，１３ｂにおける第１係合受片１１ｂ４，１２ｂ４，１３ｂ４の先端部内方面に当接することができ、かつ支点片５０Ａｂの先端係合縁５０Ａｂ１と第１係合受部１１ｂ，１２ｂ，１３ｂの第１先端片１１ｂ３，１２ｂ３，１３ｂ３との間に解除用隙間Ｌが確保されるようにそれぞれの寸法が設定してある。解除用隙間Ｌとは、基片５０Ａａの先端縁５０Ａａ１を枠１１，１２，１３の見込み面に当接させた状態で支点片５０Ａｂの先端係合縁５０Ａｂ１を第１係合受部１１ｂ，１２ｂ，１３ｂの第１先端片１１ｂ３，１２ｂ３，１３ｂ３に当接するようにスライドさせた場合に、基片５０Ａａの基端係合縁５０Ａａ２が第２係合受部１１ｃ，１２ｃ，１３ｃの第２係合受片１１ｃ２，１２ｃ２，１３ｃ２から離隔することのできる距離である。
【００３０】
面材支持板部５０Ｂは、枠１１，１２，１３の見込み面において室内側に位置する部位から見付け方向に沿って内方に延在することにより、枠１１，１２，１３の面材支持ヒレ部１１ａ，１２ａ，１３ａとの間に面材２０を保持するためのもので、第１支持片５０Ｂａ、第２支持片５０Ｂｂ及び第３支持片５０Ｂｃを有している。第１支持片５０Ｂａは、押縁部材５０の係合板部５０Ａを第１係合受部１１ｂ，１２ｂ，１３ｂ及び第２係合受部１１ｃ，１２ｃ，１３ｃの間に保持させた場合に、枠１１，１２，１３に設けた第２係合受部１１ｃ，１２ｃ，１３ｃの突出端部から見付け方向に沿って突出する部分であり、係合板部５０Ａにおける基片５０Ａａの基端部から突設してある。図３からも明らかなように、第１支持片５０Ｂａにおいて基片５０Ａａの基端部との連結部分には、第２係合受部１１ｃ，１２ｃ，１３ｃの第２係合受片１１ｃ２，１２ｃ２，１３ｃ２に対して基片５０Ａａの基端係合縁５０Ａａ２が当接可能となるように挿入溝５０Ｃが設けてある。第２支持片５０Ｂｂは、第１支持片５０Ｂａの突出端部から室外側に向けて略直角に屈曲した部分である。第２支持片５０Ｂｂの屈曲した先端部は、枠１１，１２，１３の見込み面に配設した断熱材４０を超えた位置まで達している。第３支持片５０Ｂｃは、第２支持片５０Ｂｂの突出端部から枠１１，１２，１３の見込み面に近接する方向に向けて略直角に屈曲した部分であり、室外側に位置する面にインナガスケット３２を保持している。
【００３１】
これら第１支持片５０Ｂａ、第２支持片５０Ｂｂ及び第３支持片５０Ｂｃは、係合板部５０Ａにおける基片５０Ａａの基端係合縁５０Ａａ２を第２係合受部１１ｃ，１２ｃ，１３ｃの第２係合受片１１ｃ２，１２ｃ２，１３ｃ２に当接させ、かつ係合板部５０Ａにおける支点片５０Ａｂの先端係合縁５０Ａｂ１を第１係合受部１１ｂ，１２ｂ，１３ｂの第１係合受片１１ｂ４，１２ｂ４，１３ｂ４に当接させた（以下、単に「係合板部５０Ａを第１係合受部１１ｂ，１２ｂ，１３ｂ及び第２係合受部１１ｃ，１２ｃ，１３ｃに当接させた」と称する）場合に、第３支持片５０Ｂｃに保持させたインナガスケット３２が枠１１，１２，１３の面材支持ヒレ部１１ａ，１２ａ，１３ａに保持させたアウタガスケット３１とほぼ同じ高さ位置において面材２０を挟持することができるようにそれぞれの寸法が設定してある。
【００３２】
また、図３に示すように、第１支持片５０Ｂａ、第２支持片５０Ｂｂ及び第３支持片５０Ｂｃは、下枠１２の第１係合受部１２ｂ及び第２係合受部１２ｃに係合板部５０Ａを当接させた場合、重心Ｇからの垂線が、下枠１２の見込み面と基片５０Ａａの先端縁５０Ａａ１との当接位置よりも係合板部５０Ａの基端部側を通過するように、それぞれの重量分布が調整してある。
【００３３】
上記のように構成した押縁部材５０は、図４中の二点鎖線で示すように、係合板部５０Ａにおける支点片５０Ａｂの先端係合縁５０Ａｂ１を枠１１，１２，１３の見込み面と第１係合受部１１ｂ，１２ｂ，１３ｂの第１係合受片１１ｂ４，１２ｂ４，１３ｂ４との間に挿入し、支点片５０Ａｂの先端係合縁５０Ａｂ１を第１係合受片１１ｂ４，１２ｂ４，１３ｂ４に当接させた状態で基片５０Ａａの基端係合縁５０Ａａ２が枠１１，１２，１３の見込み面に近接するように回転操作して基片５０Ａａの基端係合縁５０Ａａ２を第２係合受部１１ｃ，１２ｃ，１３ｃの第２係合受片１１ｃ２，１２ｃ２，１３ｃ２に当接させることにより、図４中の実線で示すように、係合板部５０Ａを介して開口枠１０の各枠１１，１２，１３に取り付けられる。この状態においては、押縁部材５０の面材支持板部５０Ｂに設けたインナガスケット３２と枠１１，１２，１３の面材支持ヒレ部１１ａ，１２ａ，１３ａに設けたアウタガスケット３１とが対向して配置されることになり、これらの間に面材２０を保持することが可能となる。
【００３４】
一方、枠１１，１２，１３に対して押縁部材５０を室外側にスライドさせた後、基片５０Ａａの基端係合縁５０Ａａ２が枠１１，１２，１３の見込み面から離隔するように押縁部材５０を回転操作すると、基片５０Ａａの基端係合縁５０Ａａ２と第２係合受部１１ｃ，１２ｃ，１３ｃの第２係合受片１１ｃ２，１２ｃ２，１３ｃ２との当接状態が解除され、その後、支点片５０Ａｂの先端係合縁５０Ａｂ１を枠１１，１２，１３の見込み面と第１係合受部１１ｂ，１２ｂ，１３ｂの第１係合受片１１ｂ４，１２ｂ４，１３ｂ４との間から引き抜けば、押縁部材５０を枠１１，１２，１３から取り外すことが可能となる。
【００３５】
ここで、上述の建具では、第２係合受部１１ｃ，１２ｃ，１３ｃにおいて押縁部材５０の基端係合縁５０Ａａ２が当接される第２係合受片１１ｃ２，１２ｃ２，１３ｃ２の位置が、第１係合受部１１ｂ，１２ｂ，１３ｂにおいて押縁部材５０の先端係合縁５０Ａｂ１が当接される第１係合受片１１ｂ４，１２ｂ４，１３ｂ４の位置と略同じになるように構成してある。従って、枠１１，１２，１３の見込み面と第１係合受部１１ｂ，１２ｂ，１３ｂとの間に支点片５０Ａｂの先端係合縁５０Ａｂ１を挿入する際の押縁部材５０の傾斜角度θを抑えることができる。
【００３６】
しかも、第１係合受部１１ｂ，１２ｂ，１３ｂについては、第１基片１１ｂ１，１２ｂ１，１３ｂ１と第１先端片１１ｂ３，１２ｂ３，１３ｂ３との間に第１傾斜片１１ｂ２，１２ｂ２，１３ｂ２を設けることにより、枠１１，１２，１３の見込み面において収容部１１ｄ，１２ｄ，１３ｄの開口縁部と第１基片１１ｂ１，１２ｂ１，１３ｂ１との間に仕切面１１ｅ，１２ｅ，１３ｅを確保しているものの、押縁部材５０の先端係合縁５０Ａｂ１が当接される第１係合受部１１ｂ，１２ｂ，１３ｂの第１係合受片１１ｂ４，１２ｂ４，１３ｂ４を室外側にオフセットするようにしているため、第１係合受部１１ｂ，１２ｂ，１３ｂ及び第２係合受部１１ｃ，１２ｃ，１３ｃの相互間距離が大きく短縮化される事態を防止することが可能となる。
【００３７】
これらの結果、枠１１，１２，１３状部材に対して押縁部材５０を着脱させる際に必要となる傾斜角度θを小さく抑えることができ、押縁部材５０の面材支持板部５０Ｂと面材２０との干渉を招来する恐れがなくなるため、その操作を容易に、かつ確実に行うことが可能となると同時に、仕切面１１ｅ，１２ｅ，１３ｅを設けたことにより注入タイプの断熱材４０を適用する場合にも収容部１１ｄ，１２ｄ，１３ｄの外部に漏出する事態を招来する恐れがない。
【００３８】
また、上述の建具では、下枠１２の第１係合受部１２ｂ及び第２係合受部１２ｃに押縁部材５０の係合板部５０Ａを当接させた場合に、重心Ｇからの垂線が、下枠１２の見込み面と基片５０Ａａの先端縁５０Ａａ１との当接位置よりも係合板部５０Ａの基端部側を通過するように、それぞれの重量分布が調整してある。従って、インナガスケット３２を装着する以前に下枠１２に押縁部材５０を配設した場合、下枠１２に対して押縁部材５０を自立させることができる。これにより、建具の組立作業を容易化することができる。さらに、組み立て後の建具においては、例えば室内外の気圧差や室外に吹く風の影響により、開口枠１０に対して面材２０が室外側に移動してインナガスケット３２と面材２０とが離隔した場合であっても、押縁部材５０が室外側に傾く恐れがなく、押縁部材５０が不用意に下枠１２から脱落する事態を防止することができる。
【００３９】
尚、上述した実施の形態では、注入タイプの断熱材４０を枠１１，１２，１３に配設した建具を例示しているが、必ずしも注入タイプの断熱材４０を用いるものに限定されない。
【００４０】
また、枠１１，１２，１３に面材２０を保持するようにした建具を例示しているが、框に面材を保持するようにした建具にも適用することが可能である。
【符号の説明】
【００４１】
１０      開口枠
１１，１２，１３      枠
１１ｂ，１２ｂ，１３ｂ      第１係合受部
１１ｂ１，１２ｂ１，１３ｂ１      第１基片
１１ｂ２，１２ｂ２，１３ｂ２      第１傾斜片
１１ｂ３，１２ｂ３，１３ｂ３      第１先端片
１１ｂ４，１２ｂ４，１３ｂ４      第１係合受片
１１ｃ，１２ｃ，１３ｃ      第２係合受部
１１ｃ１，１２ｃ１，１３ｃ１      第２基片
１１ｃ２，１２ｃ２，１３ｃ２      第２係合受片
１１ｄ，１２ｄ，１３ｄ      収容部
１１ｅ，１２ｅ，１３ｅ      仕切面
２０      面材
４０      断熱材
５０      押縁部材
５０Ａ      係合板部
５０Ａａ      基片
５０Ａａ１      先端縁
５０Ａａ２      基端係合縁
５０Ａｂ      支点片
５０Ａｂ１      先端係合縁
５０Ｂ      面材２０支持板部
５０Ｂａ      第１支持片
５０Ｂｂ      第２支持片
５０Ｂｃ      第３支持片
５０Ｃ      挿入溝
Ｇ      重心
【図１】
2014020155.tif 000003
【図２】
2014020155.tif 000004
【図３】
2014020155.tif 000005
【図４】
2014020155.tif 000006